(57)【特許請求の範囲】
【請求項１】
電源と前記電源を開閉する電源開閉手段と蓄電手段とからなる閉ループ回路と、前記電源開閉手段に並列接続され、前記電源の電圧を変換する電圧変換手段と充電開閉手段との直列回路と、前記蓄電手段に並列接続され、放電開閉手段と突入電流を要する負荷との直列回路と、前記電源開閉手段と前記放電開閉手段と前記充電開閉手段とを制御する開閉制御手段とを備え、前記開閉制御手段は、前記電源開閉手段および前記充電開閉手段を介して前記電源および前記電圧変換手段から前記蓄電手段を充電し、前記蓄電手段に充電した電気エネルギーを前記放電開閉手段を介して前記負荷に供給して駆動し、少なくとも前記負荷の突入電流が前記電源および前記電圧変換手段から供給されないようにした電源安定装置。
【請求項２】
開閉制御手段は放電開閉手段を閉としてから所定時間を経過した時点で、少なくとも電源開閉手段または充電開閉手段のいずれかを閉として蓄電手段に充電しながら負荷に給電するようにした請求項１記載の電源安定装置。
【請求項３】
負荷の動作を表示する負荷動作表示手段を備え、開閉制御手段は放電開閉手段を閉としてから所定時間を経過した時点で前記負荷動作表示手段を動作させるようにした請求項１記載の電源安定装置。
【請求項４】
開閉制御手段は放電開閉手段を閉としてから所定時間を経過した時点で所定時間だけ前記放電開閉手段を閉とし、ふたたび放電開閉手段を閉とするようにした請求項１記載の電源安定装置。
【請求項５】
電圧変換手段と蓄電手段との間に、電流制限抵抗と抵抗開閉手段との直列回路を複数個並列接続した電流制限手段を挿入して備え、開閉制御手段は前記抵抗開閉手段を開閉制御して電圧変換手段から蓄電手段への充電電流を、電圧変換手段の電流供給能力と蓄電手段の充電状態とに基づいて段階的に電流制限制御するようにした請求項１記載の電源安定装置。
【請求項６】
電圧変換手段と蓄電手段との間に可変電流制限手段を挿入して備え、開閉制御手段は前記可変電流制限手段を制御して電圧変換手段から蓄電手段への充電電流を、電圧変換手段の電流供給能力と蓄電手段の充電状態とに基づいて連続的に電流制限制御するようにした請求項１記載の電源安定装置。
【請求項７】
コンデンサと蓄電開閉手段との直列回路を複数個並列接続した蓄電手段
を備え、開閉制御手段は前記蓄電開閉手段を開閉制御して負荷への放電電流を負荷の軽重に対応して制御するようにした請求項１記載の電源安定装置。
【請求項８】
周囲温度を検出する温度検出手段と、前記温度検出手段が検出した周囲温度に基づいて電圧変換手段の出力電圧を調節する電圧調節手段を備えた請求項１記載の電源安定装置。
【請求項９】
負荷に流れる電流を検出して記憶する電流記憶手段と、前記電流記憶手段が記憶した電流に基づいて電圧変換手段の出力電圧を調節する電圧調節手段とを備えた請求項１記載の電源安定装置。
【請求項１０】
負荷に流れる異常電流を検出して記憶する異常電流記憶手段と、前記異常電流記憶手段が記憶した異常電流に基づいて電圧変換手段の出力電圧を調節する電圧調節手段とを備えた請求項１記載の電源安定装置。
【請求項１１】
負荷の作動時間を積算して記憶する負荷状態検出手段と、前記負荷状態検出手段が記憶している作動時間に基づいて電圧変換手段の出力電圧を調節する電圧調節手段を備えた請求項１記載の電源安定装置。
【発明の詳細な説明】
【０００１】
【発明の属する技術分野】
本発明は、燃焼機器などを確実かつ安定に作動させる電源安定装置に関する。
【０００２】
【従来の技術】
近年、ガス給湯機器やガステーブルなどの燃焼機器が普及しているが、その安全性を高めるために安全装置を備えたものがある。
【０００３】
以下、従来の燃焼機器の安全装置について図面を参照しながら説明する。図１６は従来の安全装置を備えた燃焼機器の構成例を示す模式図である。図において、１０１は使用者が操作する点火用の押しボタン、１０２は押しボタン１０１の近傍に配置され、押しボタン１０１が押されたときに閉じる開閉スイッチ、１０３は装置全体の動作を制御する主制御手段、１０４は安全弁、１０５は電力の供給源である電源、１０６は押しボタン１０１が押されたことに対応して放電ギャップ１０７に放電し、ガスに点火する点火手段、１０８はガス配管１０９に接続されたバーナ１１０に載置された鍋１１１の温度を検出し、主制御手段１０３に温度情報を出力する温度検出手段である。なお、安全弁１０４は、主制御手段１０３の制御のもとに供給される電流で電磁力を発生する安全弁ソレノイド１０４ａと、鉄芯１０４ｂと、鉄芯１０４ｂに結合された弁体１０４ｃとで構成されている。
【０００４】
上記構成においてその動作を説明する。使用者が点火用の押しボタン１０１を押し込むと、弁体１０４ｃが移動して安全弁１０４を開成するとともに、開閉スイッチ１０２が閉成され、電源１０５が主制御手段１０３に接続される。主制御手段１０３は安全弁ソレノイド１０４ａに通電して鉄芯１０４ｂを吸着することにより弁体１０４ｃを開成状態に維持するとともに、開閉スイッチ１０２を閉成状態に維持し、また、同時に点火手段１０６に点火指示信号を出力して点火動作を指示し、点火手段１０６は放電ギャップ１０７に高電圧放電してガスに点火する。このように安全弁１０４の開成状態と開閉スイッチ１０２の閉成状態とが維持され、ガスが継続供給されて燃焼が継続する。
【０００５】
図１７は主制御手段１０３の概略構成を示す回路図である。図において、１１２は電源１０５から安全弁ソレノイド１０４ａへの通電を開閉する開閉手段、１１３は安全弁ソレノイド１０４ａの電流を制限する電流制限抵抗である。なお、図では開閉手段１１２としてトランジスタを用い、電流制限抵抗１１３は安全弁ソレノイド１０４ａに流れる電流を一定値に制限している。開閉手段１１２が通電状態になると電源１０５から安全弁ソレノイド１０４ａに通電され、安全弁ソレノイド１０４ａが発生する電磁力により鉄芯１０４ｂを吸着する。バーナ１１０でガスが燃焼しているとき、温度検出手段１０８は、鍋１１
１の温度を検出して主制御手段１０３に出力する。鍋１１１の温度が所定値を超えたとき、主制御手段１０３は開閉手段１１２を開成して安全弁ソレノイド１０４ａへの電流供給を停止し、鉄芯１０４ｂは吸着力を失って弁体１０４ｃを閉成状態にするので安全弁１０４はガスの供給を遮断する。これにより、バーナ１１０におけるガスの燃焼が停止し、鍋１１１の温度過上昇を回避することができる。
【０００６】
【発明が解決しようとする課題】
このような従来の燃焼機器の安全装置では、負荷（ここでは安全弁１０４）に突入電流を必要とする場合、電源から直接に負荷に電流を供給すると、突入電流により電源の電圧降下を生じたり、また、電源として電池を用いる場合には、電流供給能力が不足し、主制御手段の動作に悪影響を与えるという問題があった。
【０００７】
【課題を解決するための手段】
請求項１に係わる本発明は、電源の電圧を変換する電圧変換手段と、電荷を蓄積する蓄電手段とを備え、前記電源と電圧変換手段から前記蓄電手段を充電し、前記蓄電手段に蓄積した電気エネルギーを負荷に放電して駆動するようにした電源安定装置である。
【０００８】
これにより、突入電流を要する負荷を蓄電手段の放電により駆動し、電源により負荷を直接に駆動しないので突入電流が直接的に電源に影響を与えることがない。
【０００９】
【発明の実施の形態】
請求項１に係わる本発明において、蓄電手段は電荷を蓄積する手段を意味し、放電電流が負荷を駆動するに十分な容量を備えたコンデンサにより実現でき、少なくとも負荷の突入電流を供給できる容量を備えたコンデンサを使用する。また、蓄電手段を充電または放電させるための各開閉手段は機械的なリレーの接点スイッチまたは半導体スイッチなどで構成できる。電圧変換手段は電源の電圧を変換する手段を意味し、その構成はとくに限定されない。実施例では電源よりも高電圧に変換する電圧変換手段を用い、まず、電源開閉手段を閉、充電開閉手段を開、放電開閉手段を開として蓄電手段を電源により充電し、つぎに、電源開閉手段を開、充電開閉手段を閉として上記電圧変換手段により電源よりも高電圧に充電し、つぎに、充電開閉手段を開、放電開閉手段を閉として蓄電手段を負荷に対して放電する。開閉制御手段は、たとえばマイクロコンピュータにより実現でき、上記の各開閉手段を制御させることができる。
【００１０】
請求項２に係わる本発明において、所定時間は負荷の突入電流が流れる時間を意味し、蓄電手段の容量値と負荷の初期抵抗値などにより、電源が影響を受ける時間範囲としてあらかじめ決定できる値である。前記所定時間を経過した時点から電源または電圧変換手段から蓄電手段と負荷とに給電することにより、蓄電手段を充電しながら負荷を駆動して、たとえば蓄電手段の容量が小さくても負荷を長時間に駆動することができる。
【００１１】
請求項３に係わる本発明において、負荷動作表示手段は負荷の動作状態を表示する手段を意味し、たとえば安全弁が確実に開閉したことを示すような手段であれば構成は限定されない。本発明の主旨はその動作のタイミングにあり、負荷の突入電流が流れたのち、すなわち放電開閉手段を閉としてから所定時間を経過した時点で前記負荷動作表示手段を作動させる。この所定時間は請求項２に係わる手段における所定時間以上であればよい。
【００１２】
請求項４に係わる本発明において、負荷を駆動してから所定時間後の一旦給電中断の所定時間は、負荷が突入電流による慣性で動作できるだけの時間を意味する。この一旦給電中止により駆動する電力を低減する。
【００１３】
請求項５に係わる本発明において、電流制限手段は電圧変換手段から蓄電手段への電流
を段階的に制限する手段を意味し、抵抗と開閉手段との直列回路を複数組、電圧変換手段と蓄電手段との間に挿入し、前記開閉手段を開閉制御することにより挿入する抵抗を切り替え、電流を段階的に制限する。この電流制限は電圧変換手段の電流供給能力を最大限に活用できるように実行する。
【００１４】
請求項６に係わる本発明において、可変電流制御手段は電圧変換手段から蓄電手段への電流を連続的に制限する手段を意味し、半導体可変抵抗、たとえばトランジスタの非飽和領域などを用いて実現できる。本手段の主旨は請求項６に係わる手段と同じであるが、連続的に制限する点が異なる。
【００１５】
請求項７に係わる本発明において、蓄電手段は電荷を蓄積する容量を切り替え得る手段を意味し、コンデンサと開閉手段との直列回路を複数組、並列に接続して構成できる。上記開閉手段を開閉制御することによりコンデンサを切り替えて容量を替え、負荷の状態に対応して蓄積する電気エネルギーを変える。
【００１６】
請求項８に係わる本発明において、電圧調整手段は電圧変換手段の出力電圧を調整する手段を意味し、温度検出手段により検出した周辺温度に対応して出力電圧を調整するが、とくに負荷が作動し難い低温において、出力電圧を通常よりも高く設定するように調整する。温度への対応は連続的に出力電圧を調整してもよいが、実施例では所定温度以下で調整する。
【００１７】
請求項９に係わる本発明において、電流記憶手段は負荷に流れる電流を検出して記憶する手段を意味し、負荷の重さを電流により記憶する。前回に負荷を駆動したときの電流を記憶し、次回の駆動時にその電流を過不足なく得られる充電電圧とするように電圧変換手段の出力電圧を調節する。また、前回の駆動時の電流から次回の駆動時の電流を予測することも可能である。
【００１８】
請求項１０に係わる本発明において、異常電流記憶手段は負荷に流れる異常電流を検出して記憶する手段を意味し、ロック時などの異常時の電流を記憶し、そのときには駆動を一旦停止し、改めてロックを解除できるだけの電流を得られる充電電圧とするように電圧変換手段の出力電圧を調節する。
【００１９】
請求項１１に係わる本発明において、負荷状態記憶手段は、負荷を駆動した総作動時間を記憶する手段を意味し、負荷を駆動するごとに作動時間を積算して記憶する。この積算した作動時間に対応して電圧変換手段の出力電圧を調整する。経年変化で重くなってきた負荷に対して充電電圧を高く設定するように調整する。
【００２０】
以下、本発明の実施例について説明する。
【００２１】
（実施例１）
以下、本発明の電源安定装置の実施例１について図面を参照しながら説明する。本実施例は請求項１に係わる。なお、燃焼機器の全体構成は図１７に示した従来例と同じとする。また、本発明の電源安定装置は従来例における主制御手段１０３に相当する。
【００２２】
図１は本実施例における電源安定装置の構成を示す回路図である。図において、１は電力の供給源である電源、２は電荷を蓄積する蓄電手段、３は電源１から蓄電手段２への充電を開閉する電源開閉手段、４は蓄電手段２から負荷９への放電を開閉する放電開閉手段、５は電源１の電圧を変換する電圧変換手段、６は電圧変換手段５の出力を開閉する充電開閉手段、７は上記の各開閉手段の開閉を制御しながら全体の動作を制御する開閉制御手段、８は開閉制御手段７の制御開閉手段であり、従来例における開閉スイッチ１０２に相当する。電源１と蓄電手段２と電源開閉手段３とは閉ループ回路を構成し、蓄電手段２には並列に放電開閉手段４と負荷９との直列回路が接続されている。さらに、電源開閉手段３には並列に電圧変換手段５と充電開閉手段６との直列回路が接続されている。開閉制御手段７は制御開閉手段８の閉により制御動作を開始し、電源開閉手段３、放電開閉手段４、および充電開閉手段６の開閉動作を制御し、蓄電手段２の充電、および蓄電手段２から負荷９への放電を制御する。なお、負荷９は突入電流を要する負荷であり、具体例として、図１６に示した安全弁ソレノイド１０４ａの他に、たとえば、バーナ１１０の火力を調節するための流量調節弁の駆動用のモータなどがあるが、これらに限定されないことは言うまでもない。
【００２３】
上記構成においてその動作を説明する。図２は本実施例の動作を示すタイミングチャートである。使用者がガステーブルなどの燃焼機器を点火操作すると、従来例と同様に、制御開閉手段８が閉となる。このとき、開閉制御手段７は、点火手段１０６に点火指示信号を出力して点火を指示するとともに、図２（ｂ）に示したように、電源開閉手段３を閉、放電開閉手段４を開、充電開閉手段６を開ととして電源１から蓄電手段２を充電する。このとき放電開閉手段４は開としているので、電源１から負荷９には直接に電流が流れない。同様に、充電開閉手段６も開としているので、電圧変換手段５も関与しない。
【００２４】
この動作により蓄電手段２の電圧は図２（ａ）に示したように上昇していき、電源１の電圧に達して十分に充電されたのち、図２（ｂ）に示したように電源開閉手段３を開とするとともに、図２（ｃ）に示したように充電開閉手段６を閉とし、電圧変換手段５の出力電圧により蓄電手段２を充電する。これにより、図２（ａ）に示したように、蓄電手段２の端子電圧を電源１の電圧より高く充電する。開閉制御手段７は蓄電手段２を十分に充電したのち、充電開閉手段６を開としてから放電開閉手段４を閉とし、蓄電手段２に蓄積した電荷を負荷９に放電して駆動する。
【００２５】
以上の動作により、負荷９の突入電流が大きくても蓄電手段２に蓄積した電気エネルギーにより駆動することにより、電源１や開閉制御手段７などに電圧変動の悪影響を及ぼすことがない。さらに、電圧変換手段５の出力電圧を電源１の電圧よりも高くすることにより、電源１よりも高電圧に充電することもできる。また、最初から電圧変換手段５のみで蓄電手段２を充電すると、図２（ａ）の波線で示したように、電圧変換手段５の電流供給能力に制限されて充電時間が長くなることがあるが、本実施例では、最初は電源１により充電し、そのつぎに電圧変換手段５から充電するので充電を高速化することができ、負荷を早急に動作しなければならない場合に有効である。さらに、バーナ１１０を燃焼中も、電源開閉手段３を閉、放電開閉手段４を開とすることにより、蓄電手段２を充電することができ、改めて負荷９を動作しなければならない状態になっても常に蓄電手段２に電気エネルギーが存在することになる。
【００２６】
以上のように本実施例によれば、大きい突入電流を必要とする負荷９に供給する電気エネルギーを電源１から直接に供給せず、まず、電源開閉手段３を閉、放電開閉手段４を開、充電開閉手段６を開として電源１により蓄電手段２を充電し、つぎに電源開閉手段３を開、充電開閉手段６を閉として電圧変換手段５により高電圧で蓄電手段２を十分に充電し、つぎに充電開閉手段６を開、放電開閉手段４を閉として蓄電手段２から負荷９に放電して電気エネルギーを供給することにより、電源１に負荷９の突入電流の影響が直接に加わらないため、電源電圧の瞬間的な低下などを防止し、かつ、電圧変換手段５により蓄電手段２に高電圧を高速で充電することもでき、負荷９を確実に動作させることができる。
【００２７】
（実施例２）
以下、本発明の電源安定装置の実施例２について図面を参照しながら説明する。本実施例は請求項２に係わる。
【００２８】
本実施例の構成は図１と同じであり、詳細な説明を省略する。本実施例が実施例１と異なる点は、蓄電手段２の放電により負荷９を駆動するとき、負荷９の突入電流を流したのち、電源開閉手段３と充電開閉手段６の少なくともいずれかを閉として、電源１と電圧変換手段５の少なくともいずれかから蓄電手段２と負荷９とに通電するようにしたことにある。
【００２９】
上記構成においてその動作を説明する。図３は放電開閉手段４と充電開閉手段６の動作を示すタイミングチャートである。実施例１と同様に、開閉制御手段７は点火手段１０６を制御して点火動作を行い、バーナ１１０の燃焼を開始する。負荷９を駆動する場合、図３（ｂ）に示したように、蓄電手段２を十分に充電完了してから放電開閉手段４が閉となるように動作する。これにより、図３（ａ）に示した突入電流が流れる期間ｔを経過した時点から、図３（ｃ）に示したように充電開閉手段６を閉とする。これにより、負荷９へ流れる電流が過大な突入電流状態である期間ｔを回避したのち、蓄電手段２に電圧変換手段５からの充電を併用することができる。したがって、負荷９が突入電流を要しても電圧変換手段５から直接に電流を供給することがなく、蓄電手段２の電気エネルギーを突入電流に利用しながら、突入電流の影響がなくなってから蓄電手段２を充電することができ、負荷９が長時間動作しなければならない場合には蓄電手段２からの放電のみでなく、電圧変換手段５から蓄電手段２に充電しながら負荷９に電流を供給することができる。
【００３０】
以上のように本実施例によれば、負荷９の突入電流が流れる期間を経過した時点から電源１または電圧変換手段５から蓄電手段２と負荷９とに給電するようにしたことにより、蓄電手段２の電力が枯渇することなく、また負荷を長時間にわたって安定に駆動することができる。また、電源１が電池である場合、大容量の蓄電手段２に充電するときに過大な突入電流が電池内部を流れ、電解質の変化が生じて電池そのものの利用率が低下することがあるが、本実施例の手段では蓄電手段２の容量を比較的小さくして充電時の突入電流を小さく設定しても、蓄電手段２が主として突入電流のみを供給して、あとは電源１から給電することにより蓄電手段２の能力不足を補うようにできる効果もある。
【００３１】
なお、上記の説明では充電開閉手段６を閉として電圧変換手段５から充電する場合について説明したが、電源開閉手段３を用いて電源１から充電するようにしてもよいことは言うまでもない。また、電圧変換手段５は、電圧を電源１の電圧から降下させるレギュレータであっても、また電源１の電圧より昇圧するＤＣ／ＤＣコンバータであってもよいことは言うまでもない。
【００３２】
（実施例３）
以下、本発明の電源安定装置の実施例３について図面を参照しながら説明する。本実施例は請求項３に係わる。
【００３３】
図４は本実施例の構成を示す回路図である。なお、図１と同じ構成要素には同一番号を付与して詳細な説明を省略する。図４において、１０は負荷９の動作を示す負荷動作表示手段である。本実施例が実施例１と異なる点は、負荷動作表示手段１０を備え、開閉制御手段７は負荷９の突入電流が流れたのちに負荷動作表示手段１０を作動させて、負荷９の状態を利用者に表示するようにすることにある。他の動作は実施例１と同じである。
【００３４】
上記構成においてその動作を説明する。図５は本実施例の動作を示すタイミングチャートである。実施例１と同様に、開閉制御手段７は点火手段１０６を制御して点火動作を行い、バーナ１１０の燃焼を開始する。そこで、負荷９を動作する場合、図５（ｂ）に示したように、蓄電手段２を十分に充電してから放電開閉手段を閉とし、図５（ａ）に示したように負荷９に電流を流す。開閉制御手段７は、図５（ａ）に示した所定時間ｔを経過した時点で、図５（ｃ）に示したように負荷動作表示手段１０に信号を送出する。一般に、負荷動作表示手段１０としてＬＥＤやブザーなどを用いた場合には大電流を必要とするが、上記動作により負荷９を大電流で駆動する期間を経過してから負荷動作表示手段１０に信号を送出することにより、負荷動作表示手段１０は負荷９の動作結果のみ表示すればよく、動作中の表示を廃して消費電力の増大を低減することができる。また、負荷９を駆動する大電流と負荷動作表示手段１０の大電流とが同時に回路を流れることによるノイズの増大を防止することもできる。
【００３５】
以上のように本実施例によれば、負荷９が動作してから負荷動作表示手段１０を動作させることにより、電源１の電力消費の増大とノイズの増大とを防止しながら、利用者が負荷９の動作を確認できるように利便性を向上させるととができる。
【００３６】
（実施例４）
以下、本実施例の電源安定装置の実施例４について図面を参照しながら説明する。本実施例は請求項４に係わる。本実施例の構成は図１と同じである。本実施例が実施例１と異なる点は、放電開閉手段４の動作にあり、放電開始後に一旦、放電を中断し、再度、放電するようにしたことにある。
【００３７】
上記構成においてその動作を説明する。図６は本実施例における負荷９の電流と放電開閉手段４の動作を示すタイミングチャートである。実施例１と同様に、開閉制御手段７は点火手段１０６を制御して点火動作を行い、バーナ１１０の燃焼を開始する。そこで、負荷９を駆動する場合、図６（ｃ）に示したように、蓄電手段２に十分に充電を完了してから所定時間ｔ1 の間を放電開閉手段４を閉としたのち、一旦、所定時間ｔ2 だけ開とし、そののち、ふたたび閉とする。このとき、負荷９には、図６（ｂ）に示したように、最初の所定時間ｔ1 に突入電流が流れ、つぎに所定時間ｔ2 の間は電流が遮断され、つぎに再び電流が流れ、所定時間ｔ2 の間は最初の突入電流による慣性で動作する。したがって、負荷９を駆動する電力を低減することができる。また、負荷９が何らかの理由で固着状態になっている場合は、従来例では図６（ａ）に波線で示したように、突入電流値を維持するようになるが、このような過大電流を継続して負荷９に供給すると、電源１の負担が大きいのみならず、負荷９自体が電流により発熱し、損傷する可能性があった。この場合にも、本実施例の手段では蓄電手段２により給電するので継続して大電流が流れず、負荷の損傷を防止できるとともに、所定時間ｔ2 の間は電流を遮断しているので、電力消費を低減できる。また、使用者が負荷９を駆動するように繰り返し操作することにより、最初の突入電流による駆動力が繰り返して印加され、過大電流を継続して流すよりも固着を外せる可能性が高くなる。
【００３８】
以上のように本実施例によれば、放電を開始してから所定時間を経過した時点で一旦、放電を中断し、再度、放電を開始することにより、負荷を突入電流による慣性で作動させて電力を低減しながら駆動できるとともに、負荷９が固着していても駆動操作を繰り返せば、固着を外せる可能性が高くなる。
【００３９】
なお、本実施例で示している所定時間ｔ1 、ｔ2 は、負荷９の状態によってあらかじめ設定できる値であり、開閉制御手段７に、定数として設定しておくことができる。
【００４０】
（実施例５）
以下、本発明の電源安定装置の実施例５について図面を参照しながら説明する。
【００４１】
図７（ａ）は本実施例の構成を示す回路図である。なお、図１と同じ構成要素には同一番号を付与して詳細な説明を省略する。図において、１１は負荷駆動手段である。本実施例が実施例１と異なる点は、負荷駆動手段１１を備え、電源開閉手段３による蓄電手段２の充電と、負荷駆動手段１１による負荷９の駆動とを交互に時分割で実行し、蓄電手段２を充電しながら負荷９を駆動するようにしたことにある。なお、負荷９の駆動開始時には放電開閉手段４を閉として突入電流を蓄電手段２から供給する。
【００４２】
上記構成においてその動作を説明する。図７（ｂ）は本実施例の動作を示すタイミングチャートである。実施例１と同様に、開閉制御手段７は点火手段１０６を制御して点火動作を行い、バーナ１１０の燃焼を開始する。負荷９を蓄電手段２の放電により駆動すると、再動作までに蓄電手段２を充電する時間が必要になるが、本実施例では負荷９を負荷駆動手段１１の開閉によりＰＷＭ駆動するとともに、電源開閉手段３を前記ＰＷＭと逆位相で開閉することにより電源１から蓄電手段２を充電して、上記の課題を解決している。
【００４３】
図７（ｂ）の上の図は開閉制御手段７により制御される負荷駆動手段の動作、図７（ｂ）の下の図は開閉制御手段７により制御される電源開閉手段３の動作を示す。図において、負荷駆動手段１１を閉として負荷９に電源１から電流を供給しているときは、電源開閉手段３を開として蓄電手段２に充電しない。反対に、負荷駆動手段１１を開として負荷９に電源１から電流を供給していないときは、電源開閉手段３を閉として電源１から蓄電手段２に充電する。なお、負荷９を駆動するとき、最初に放電開閉手段４を閉として蓄電手段２から電流を供給し、負荷９の駆動時の突入電流を蓄電手段２に負担させている。以上の動作により、蓄電手段２の電荷を空にすることなく、常に充電しながら負荷９を駆動することができ、負荷９を頻繁に駆動する場合でも電源１に過度の負担を掛けて充電する必要がなく、円滑に駆動することができる。
【００４４】
以上のように本実施例によれば、蓄電手段２の放電により負荷９を駆動したのち、電源１から負荷９への給電と蓄電手段２への充電とを交互に時分割で実行することにより、蓄電手段２には常に電荷が蓄積された状態とするので、負荷９を頻繁に駆動する場合でも、電源に過度の負担をかけずに円滑に駆動することができる。
【００４５】
（実施例６）
以下、本発明の電源安定装置の実施例６について図面を参照しながら説明する。本実施例は請求項５に係わる。
【００４６】
図８は本実施例の構成を示す回路図である。なお、図１と同じ構成要素には同一番号を付与して詳細な説明を省略する。図において、１２は電流制限手段であり、電流制限抵抗１２ａ、１２ｂ、１２ｄと、それらを開閉する抵抗開閉手段１２ｃ、１２ｅとを備えている。本実施例が実施例１と異なる点は、電流制限手段１２を備え、電圧変換手段５の出力電流を調節できるようにしたことにある。
【００４７】
電圧変換手段５には有限の電流供給能力があり、蓄電手段２への充電電流が電流供給能力以上に流れようとすると電圧変換手段５自体の動作が不安定、または最悪には停止に至る場合もある。その結果、蓄電手段２は充電が不完全になり、負荷９を駆動できなくなる。また、逆に過小な電流で充電すれば充電時間が長くなり、電圧変換手段５の電流供給能力を有効に活用していないことになる。本実施例では電圧変換手段５からの電流を蓄電手段の充電状態に応じて前記電流制限手段１２により電流を過大にも過小にもならないように制限することにより、上記の課題を解決している。
【００４８】
上記構成においてその動作を説明する。実施例１と同様に、開閉制御手段７は点火手段１０６を制御して点火動作を行い、バーナ１１０の燃焼を開始する。そこで、電源開閉手段３により蓄電手段２の充電を始めたとき、まだ十分に電荷が溜っていないため、電圧変換手段５からは多くの電流が流れようとする。このとき、抵抗開閉手段１２ｃおよび１２ｅを開として電流制限抵抗１２ａのみに電流を流し、過大電流が流れないようにする。そして時間経過とともに電流制限抵抗１２ａと並列に接続された電流制限抵抗１２ｂにも電流が流れるように抵抗開閉手段１２ｃを閉とする。さらに、時間経過とともに順次に電流制限抵抗１２ｄにも電流が流れるように抵抗開閉手段１２ｅも閉とする。なお、本実施例では３つの電流制限抵抗を設けているが、これに限定されるものではない。このように蓄電手段２の充電が進行する。従って順次に電流制限抵抗を並列に接続していくことにより、電圧変換手段５から蓄電手段２に流れる電流は過大にも過小にもならないように調節される。なお、抵抗開閉手段１２ｃ、１２ｅを上記のように蓄電手段２の状態に対応して開閉制御するためには、蓄電手段２の蓄積電荷、すなわち電圧、または充電電流を検出すればよく、図８には図示していないが、電圧検出手段または電流検出手段で検出することができ、また、充電を開始してからの時間によっても制御できる。また、蓄電手段２のコンデンサの容量が決定されると、その容量についての適切な制御パターンをあらかじめ算出することも可能である。
【００４９】
以上のように本実施例によれば、蓄電手段２の電荷または充電時間などに対応して電圧変換手段５から流れる電流を調節することにより、電圧変換手段５の動作を常に安全領域で動作し、安定に電流を供給して充電することができる。
【００５０】
なお、本実施例では電流制限手段１２として複数の電流制限抵抗と、それらを回路に接続する抵抗開閉手段とで構成したが、抵抗開閉手段としてアナログスイッチを用いると、前記アナログスイッチの内部抵抗を電流制限抵抗として使用することができ、上記と同様の効果を得ることができる。
【００５１】
（実施例７）
以下、本発明の電源安定装置の実施例７について図面を参照しながら説明する。本実施例は請求項６に係わる。
【００５２】
図９は本実施例の構成を示す回路図である。なお、図１と同じ構成要素には同一番号を付与して詳細な説明を省略する。図において、１３は可変電流制御手段である。本実施例が実施例６と異なる点は、電流制限手段１２に代えて可変電流制御手段１３を備え、蓄電手段２への充電電流を連続的に調節できるようにしたことにある。
【００５３】
上記構成においてその動作を説明する。通常の動作は実施例１と同様である。このとき、実施例６で説明したように、蓄電手段２に充電する電圧変換手段５の出力電流がその電流供給能力以上に流れようとすると、電圧変換手段５自体の動作が不安定または最悪は停止に至る場合がある。この結果、蓄電手段２は充電が不完全になり、負荷９を駆動できなくなる。本実施例では電圧変換手段５を流れる電流を蓄電手段２の充電状態に対応して連続的に可変することにより上記の課題を解決している。
【００５４】
図９において、電圧変換手段５により蓄電手段２を充電するとき、蓄電手段２にまだ十分に電荷が溜っていない場合には電圧変換手段５から大きい電流が流れようとする。このとき、開閉制御手段７は、可変電流制御手段１３の内部抵抗を大きくして電流を制限する。時間経過とともに蓄電手段２の充電が進行するに従って充電電流も多くを必要とせず、開閉制御手段７は可変電流制御手段１３の内部抵抗を小さくして、電流が容易に流れるようにする。このように、可変電流制御手段１３により電流を連続的に調整することにより、電圧変換手段５の出力電流を過大にも過小にもせず、その電流供給能力に適合した電流で効率的に充電でき、また、電流の変化が滑らかであるので、外部に対してノイズを発生することもない。なお、蓄電手段２の充電状態は実施例６で説明したと同様に検出または算出することができる。
【００５５】
以上のように本実施例によれば、蓄電手段２の充電状態に対応して電圧変換手段５から
流れ出る電流を連続的に調節することにより、電圧変換手段５の動作を常に安全領域で動作させ、安定に電流を供給することができる。
【００５６】
（実施例８）
以下、本発明の電源安定装置の実施例８について図面を参照しながら説明する。本実施例は請求項７に係わる。
【００５７】
図１０は本実施例の構成を示す回路図である。なお、図１と同じ構成要素には同一番号を付与して詳細な説明を省略する。図において、蓄電手段２は、コンデンサ２ａ、２ｂ、２ｃと、それぞれに直列な蓄電開閉手段２ｂ、２ｄ、２ｆを備え、それらが並列に接続されて構成される。本実施例が実施例１と異なる点は、蓄電手段２がコンデンサと蓄電開閉手段との直列回路を複数個備え、開閉制御手段７は前記蓄電開閉手段の開閉動作を制御して負荷９の軽重に対応して放電電流を制御するようにしたことにある。
【００５８】
上記構成においてその動作を説明する。実施例１と同様に開閉制御手段７は点火手段１０６を制御して点火動作し、バーナ１１０の燃焼を開始する。負荷９を駆動するとき、突入電流を確保するために蓄電手段２を用いているが、負荷９の軽重により蓄電手段２が必要とする容量が異なる。負荷９が軽いのに容量が大きい蓄電手段２を用いると充電に時間がかかるとともに、駆動後には電力が余って電力効率が悪い。反対に、負荷９が重いのに蓄電手段２の容量が小さいと駆動に十分な電流を賄えないので動作できない場合がある。本実施例では蓄電手段２の容量を負荷９の軽重に対応して切り替えることにより、上記の課題を解決している。
【００５９】
図１０において、負荷９が軽い場合は蓄電手段２の容量は小さくてよい。この場合は開閉制御手段７は、たとえば蓄電開閉手段２ｂを閉とし、他の蓄電開閉手段２ｄ、２ｆを開としておくことにより、コンデンサ２ａのみが充放電に関与する。これにより軽い負荷９を十分に駆動でき、また、電源１や電圧変換手段５からの充電時間も短くて済む。また反対に、負荷９が重い場合は、蓄電開閉手段２ｂ、２ｄ、２ｆのすべてを閉とすることにより、コンデンサ２ａ、２ｃ、２ｅのすべてが充放電に関与して負荷９を十分に駆動することができる。
【００６０】
以上のように本実施例によれば、負荷９の重さに対応して蓄電手段２の容量の大きさを切り替えることにより、電力を効率よく使用することができる。
【００６１】
（実施例９）
以下、本発明の電源安定装置の実施例９について図面を参照しながら説明する。
【００６２】
図１１は本実施例の構成を示す回路図である。なお、図１と同じ構成要素には同一番号を付与して詳細な説明を省略する。図において、５ａ、５ｂ、５ｃはそれぞれ電圧変換手段、６ａ、６ｂ、６ｃはそれぞれ充電開閉手段、１４は電流制限抵抗である。本実施例が実施例１と異なる点は、電圧変換手段と充電開閉手段との直列回路を複数個並列接続して備え、開閉制御手段７は各充電開閉手段の開閉を制御して各電圧変換手段を切り替え、蓄電手段の充電電流が最適な出力電流となる電圧変換手段を選択して蓄電手段２を充電するようにしたことにある。
【００６３】
蓄電手段２を充電するとき、蓄電手段２が空の場合と、前回の負荷９の駆動で充電した電気エネルギーがほとんど残っている場合とでは、充電電流が異なる。通常、電圧変換手段にはその電流供給能力に見合った最適な電流があり、それ以外の電流で使用すると効率が低下して電源１への負担が増加する。本実施例では必要とする充電電流に対応した最適な電圧変換手段を切り替えて使用することにより、上記の課題を解決している。
【００６４】
上記構成においてその動作を説明する。通常、最初に蓄電手段２を充電する場合は蓄電手段２が空であるため大電流を必要とする。この場合は、充電開閉手段６ａを閉として、大電流で効率のよい電圧変換手段５ａにより充電する。充電が進んで必要な電流が少なくなると、充電開閉手段６ｂを閉として、小電流で効率のよい電圧変換手段５ｃにより充電する。また、前回の負荷９の駆動後、蓄電手段２に電荷がある程度残存している場合は、充電開閉手段６ｂを閉として、中電流で効率のよい電圧変換手段５ｂにより充電する。このように蓄電手段２が必要とする電流を流すのに最も効率のよい電圧変換手段を選択して用いることにより、電圧変換手段自体の損失を低減して電源１の利用効率をよくすることができる。なお、電圧変換手段の切り替えは、充電時間に対応して切り替えたり、放電開閉手段４の動作時間に対応して切り替えることができる。
【００６５】
（実施例１０）
以下、本発明の電源安定装置の実施例１０について図面を参照しながら説明する。本実施例は請求項８に係わる。
【００６６】
図１２は本実施例の構成を示す回路図である。なお、図１と同じ構成要素には同一番号を付与して詳細な説明を省略する。図において、１５は燃焼機器の周辺温度を検出する温度検出手段、１６は前記温度検出手段が検出した周辺温度に対応して電圧変換手段の出力電圧を調節する電圧調節手段である。本実施例が実施例１と異なる点は、温度検出手段１５により燃焼機器の周辺温度を検出し、周辺温度に対応して蓄電手段２の充電電圧を調節するようにしたことにある。
【００６７】
周辺温度が低温の場合、たとえば摺動部を有する負荷９などでは摩擦が増大して作動が困難、または不可能になることがある。本実施例では温度検出手段１５により周辺温度を検出し、負荷９の作動が困難な低温時には電圧変換手段５の出力電圧を高く調節し、蓄電手段２の充電電圧を高くして電気エネルギーを大きくすることにより上記の課題を解決している。
【００６８】
上記構成においてその動作を説明する。電圧変換手段５により蓄電手段２を充電するとき、温度検出手段１５により周辺の温度を検出し、電圧調節手段１６は周辺温度が所定の温度より低い場合、電圧変換手段５に出力電圧を上昇するように指示する信号を送出する。これにより、蓄電手段２は高電圧に充電され、蓄電手段２に蓄積された電気エネルギーが大きくなるので、放電開閉手段４を閉としたとき負荷９に流れる電流が大きくなり、低温の悪条件のもとでも確実に駆動することができる。
【００６９】
以上のように本実施例によれば、周辺温度に対応して電圧変換手段５の出力電圧を調節するようにしたことにより、蓄電手段２の電気エネルギーが調節され、低温などの悪条件のもとでも負荷を確実に駆動することができる。
【００７０】
（実施例１１）
以下、本発明の電源安定装置の実施例１１について図面を参照しながら説明する。本実施例は請求項９に係わる。
【００７１】
図１３は本実施例の構成を示す回路図である。なお、図１と同じ構成要素には同一番号を付与して詳細な説明を省略する。図において、１７は負荷９への放電電流の状態を記憶する電流記憶手段である。なお、本実施例における電圧調節手段１６は放電電流の状態に対応して電圧変換手段５の出力電圧を調節する。本実施例が実施例１と異なる点は、負荷９への放電電流の状態を検出して記憶し、その電流状態に対応して電圧変換手段５の出力電圧を調節するようにしたことにある。
【００７２】
負荷９の動作状態が変化する場合、たとえば、モータなどの摺動部を備えた構成の負荷９では、軸がずれてくると、必要とする電流が一定でなくなる。負荷９が最も重い状態で必要とする電流を蓄電手段２から常に供給する構成にすれば、無駄が多くなる。本実施例では負荷９の電流を電流記憶手段１７で記憶しておき、その電流に応じた電力を供給できるように電圧変換手段５の出力電圧を調節することにより上記の課題を解決している。
【００７３】
上記構成においてその動作を説明する。電流記憶手段１７は負荷９が動作したときに必要とした電流を記憶している。したがって、次回に負荷９を駆動する場合、電圧調節手段１６は負荷９が電流記憶手段１７に記憶した電流を蓄電手段２が最適に供給できるように出力電圧を調節する。これにより、蓄電手段２は過放電や過充電にならない適切な電圧に充電される。また、負荷９を駆動したのち、負荷９が次第に重たくなることが電流記憶手段１７の記憶した電流から予想される場合、電圧調節手段１６は電圧変換手段５の出力電圧を高くするように調節する。反対に、負荷９が軽くなると予想される場合には電圧変換手段５の出力電圧を低くするように調節する。これにより負荷９の動作に対応して蓄電手段２を充電することができる。
【００７４】
以上のように本実施例によれば、負荷９の状態を電流により電流記憶手段１７に記憶し、その電流を供給できる充電電圧となるように電圧変換手段５の出力電圧を電圧調節手段１６により調整することにより、負荷９の動作状態が変化する場合でも確実に駆動することができる。
【００７５】
（実施例１２）
以下、本発明の電源安定装置の実施例１２について図面を参照しながら説明する。本実施例は請求項１０に係わる。
【００７６】
図１４は本実施例の構成を示す回路図である。なお、図１と同じ構成要素には同一番号を付与して詳細な説明を省略する。図において、１８は負荷９の異常電流を検出して記憶する異常電流記憶手段である。なお、本実施例における電圧調節手段１６は異常電流記憶手段１８が記憶した異常電流に対応して電圧変換手段５の出力電圧を調節する。本実施例が実施例１と異なる点は、異常電流記憶手段１８により負荷９への異常電流を検出して記憶し、それに対応して電圧調節手段１６の出力電圧を調節するようにしたことにある。
【００７７】
上記構成においてその動作を説明する。実施例１と同様に、開閉制御手段７は点火手段１０６を制御して点火動作を行い、バーナ１１０の燃焼を開始する。このとき、負荷９が長期間にわたって動作していなかった場合や、可動する機構に塵などが挟まっている場合、負荷９が動作せずに過大電流が流れたままとなることがある。本実施例ではこの課題を解決している。
【００７８】
上記構成においてその動作を説明する。塵の咬み込みなどで負荷９に過大な電流が継続して流れる場合、異常電流記憶手段１８はその異常電流を検出して記憶し、開閉制御手段７は異常電流に対応して放電開閉手段４を開とし、負荷９への電流供給を一旦遮断する。つぎに、電圧調節手段１６は異常電流記憶手段１８が記憶した異常電流の大きさに基づいてロック状態を解除するのに必要な電流を供給できる電圧を算出し、電圧変換手段５に指示する。電圧変換手段５は指示された電圧を出力して蓄電手段２を通常よりも高い電圧で充電する。したがって、蓄電手段２に蓄積される電気エネルギーは通常よりも大きくなる。つぎに、開閉制御手段７は充電が終了した時点で放電開閉手段４を閉とし、蓄電手段２の通常よりも大きい電気エネルギーで負荷９を駆動する。これにより、ロックしていた負荷９は、そのロック状態を解除するだけのパワーを出すことができる。
【００７９】
以上のように本実施例によれば、負荷９の異常電流を検出して記憶し、その異常電流に対応して電圧変換手段の出力電圧を高く調節することにより、蓄電手段２を通常よりも高い電圧に充電でき、ロック状態にある負荷９を高い充電電圧で駆動することができる。
【００８０】
（実施例１３）
以下、本発明の電源安定装置の実施例１３について図面を参照しながら説明する。本実施例は請求項１１にかかわる。
【００８１】
図１５は本実施例の構成を示す回路図である。なお、図１と同じ構成要素には同一番号を付与して詳細な説明を省略する。図１５（ａ）において、１９は負荷９の作動時間を積算して記憶している負荷状態検出手段である。なお、本実施例における電圧調節手段１６は、負荷状態検出手段１９が記憶している作動時間に基づいて電圧変換手段５の出力電流を調節する。本実施例が実施例１と異なる点は、負荷状態検出手段１９により負荷９の作動時間を積算して記憶し、積算した作動時間に基づいて電圧変換手段５の出力電流を調節することにある。負荷９を長期間使用していると機構に経年変化が発生し、必要とする電流も次第に大きくなってくる。本実施例はこの課題を解決している。
【００８２】
上記構成においてその動作を説明する。実施例１と同様に、開閉制御手段７は点火手段１０６を制御して点火動作を行い、バーナ１１０の燃焼を開始する。このとき、負荷状態検出手段１９は放電開閉手段４が閉となっている時間、すなわち作動時間を積算して記憶する。電圧調節手段１６は積算した作動時間を参照し、経年変化を生じ始めるとする所定の作動時間を経過すると電圧変換手段５の出力電圧を調節する。したがって、使用年数が増すに従って出力電圧が高くなり、蓄電手段２は次第に高電圧で充電され、負荷９の駆動時の電気エネルギーが大きくなって、負荷９を確実かつ安定に駆動させることができる。また、経年変化により蓄電手段２が化学変化により電圧変換手段５の使用開始初期の電圧では十分に充電できないことがあるが、この状態に対しても電圧変換手段５の出力電圧を作動時間に対応して次第に高く調節することは有効な解決手段となる。なお、負荷状態検出手段１９は、電源１が切断されても記憶した作動時間を保持できる不揮発性記憶手段であることが望ましい。
【００８３】
図１５（ｂ）は本実施例の他の構成を示す回路図である。図において２０は負荷電流検出手段であり、負荷９の作動時間を検出する代わりに、負荷９の電流を直接に検出し、その電流に基づいて電圧変換手段５の出力電圧を高く調節することにより、上記と同様の効果を得ることができる。
【００８４】
以上のように本実施例によれば、負荷９の作動時間を積算して記憶し、その作動時間に対応して電圧変換手段５の出力電圧を高く調節することにより、また、負荷９の電流を検出し、その電流に対応して電圧変換手段５の出力電圧を高く設定することにより、経年変化により負荷９が重くなっても確実に駆動することができる。
【００８５】
【発明の効果】
請求項１に係わる本発明は、電源および電圧変換手段から蓄電手段に充電し、前記蓄電手段の放電により負荷を駆動して、少なくとも負荷の突入電流が前記電源または電圧変換手段から直接に流れないようにした電源安定装置とすることにより、負荷駆動時の突入電流が電源に悪影響を与えないようできるとともに、蓄電手段を電源で充電したのち電圧変換手段により高電圧に充電することもでき、この場合には高電圧まで速やかに充電することができる。
【００８６】
請求項２に係わる本発明は、蓄電手段から負荷に放電を開始したのち所定時間を経過した時点から電源または電圧変換手段から蓄電手段と負荷とに給電するようにした請求項１
に係わる電源安定装置とすることにより、蓄電手段の電力が枯渇することなく、負荷を長時間駆動する場合でも安定に動作させることができる。また、電源が電池である場合、蓄電手段の充電容量を小さくして電池からの充電時の突入電流を小さく設定しても、蓄電手段の能力不足を補うことができる。
【００８７】
請求項３に係わる本発明は、蓄電手段から負荷に放電を開始したのち所定時間を経過した時点から負荷動作表示手段を動作させるようにした請求項１に係わる電源安定装置とすることにより、駆動中の負荷状態を表示させないようにして電力消費の増大を低減し、かつ、負荷駆動の大電流と負荷動作表示手段の大電流とが同時に回路中を流れることによるノイズの増大を低減しながら、負荷の動作状態を表示することができる。
【００８８】
請求項４に係わる本発明は、蓄電手段から負荷に放電を開始したのち所定時間を経過した時点で一旦、放電を中断し、さらに所定時間を経過して再度、放電するようにした請求項１に係わる電源安定装置とすることにより、負荷を慣性により駆動して電力を低減することができる。なお、蓄電手段により負荷を駆動するので負荷がロックしていても継続して電流が流れず、したがって、負荷の損傷を防止できることは言うまでもない。
【００８９】
請求項５に係わる本発明は、電圧変換手段の出力電流を電圧変換手段の電流供給能力と蓄電手段の充電状態とに基づいて段階的に制限制御するようにした請求項１に係わる電源安定装置とすることにより、電圧変換手段の電流供給能力に適合した電流で充電でき、電圧変換手段を効率的に動作させることができる。
【００９０】
請求項６に係わる本発明は、電圧変換手段の出力電流を電圧変換手段の電流供給能力と蓄電手段の充電状態とに基づいて連続的に制限制御するようにした請求項１に係わる電源安定装置とすることにより、電圧変換手段の電流供給能力に適合した電流で充電して電圧変換手段を効率的に動作させることができるとともに、回路構成を請求項６に係わる手段よりも簡単にでき、また、連続的な制御であるのでノイズの発生を回避することができる。
【００９１】
請求項７に係わる本発明は、蓄電手段の容量を切り替えることにより負荷の軽重に対応して放電電流を制御するようにした請求項１に係わる電源安定装置とすることにより、負荷の軽重に対応した放電電流に適合する容量が選択され、電源からの電力供給の負担を適切化できる。
【００９２】
請求項８に係わる本発明は、機器の周辺温度に対応して電圧変換手段の出力電圧を調節するようにした請求項１に係わる電源安定装置とすることにより、負荷が作動し難い低温では蓄電手段の電気エネルギーが高く設定され、負荷を確実に駆動させることができる。
【００９３】
請求項９に係わる本発明は、負荷の電流を検出して記憶し、その電流を供給できるように電圧変換手段の出力電圧を調節するようにした請求項１に係わる電源安定装置とすることにより、蓄電手段は負荷の大きさに対応して過不足のない電圧に充電され、負荷の大きさが変化しても効率的に、かつ確実に駆動することができる。
【００９４】
請求項１０に係わる本発明は、負荷の異常電流を検出して記憶し、異常電流に対応して電圧変換手段の出力電圧を通常よりも高く調節するようにした請求項１に係わる電源安定装置とすることにより、ロック状態にある負荷を通常よりも高い充電電圧で駆動することができる。なお、異常電流に対応して負荷への給電を停止できることは言うまでもない。
【００９５】
請求項１１に係わる本発明は、負荷の作動時間を積算し、積算した作動時間に対応して電圧変換手段の出力電圧を高く調節するようにした請求項１に係わる電源安定装置とする
ことにより、経年変化により重くなった負荷を高い充電電圧で確実に駆動することができる。
【図面の簡単な説明】
【図１】  本発明の実施例１の構成を示す回路図
【図２】  同実施例１の動作を示すタイミングチャート
【図３】  本発明の実施例２の動作を示すタイミングチャート
【図４】  本発明の実施例３の構成を示す回路図
【図５】  同実施例３の動作を示すタイミングチャート
【図６】  本発明の実施例４の動作を示すタイミングチャート
【図７】  （ａ）本発明の実施例５の構成を示す回路図
（ｂ）同実施例５の動作を示すタイミングチャート
【図８】  本発明の実施例６の構成を示す回路図
【図９】  本発明の実施例７の構成を示す回路図
【図１０】  本発明の実施例８の構成を示す回路図
【図１１】  本発明の実施例９の構成を示す回路図
【図１２】  本発明の実施例１０の構成を示す回路図
【図１３】  本発明の実施例１１の構成を示す回路図
【図１４】  本発明の実施例１２の構成を示す回路図
【図１５】  （ａ）本発明の実施例１３の構成を示す回路図
（ｂ）同実施例１３の別の構成を示す回路図
【図１６】  従来の燃焼機器の模式回路図
【図１７】  同従来における主制御手段の回路図
【符号の説明】
１  電源
２  蓄電手段
２ａ、２ｃ、２ｅ  コンデンサ
２ｂ、２ｄ、２ｆ  蓄電開閉手段
３  電源開閉手段
４  放電開閉手段
５  電圧変換手段
６  充電開閉手段
７  開閉制御手段
８  制御開閉手段
９  負荷
１０  負荷動作表示手段
１２  電流制限手段
１２ａ、１２ｂ、１２ｃ  電流制限抵抗
１２ｃ、１２ｅ  抵抗開閉手段
１３  可変電流制御手段
１４  電流制限抵抗
１５  温度検出手段
１６  電圧調節手段
１７  電流記憶手段
１８  異常電流記憶手段
１９  負荷状態検出手段
２０  負荷電流検出手段
【図１】
0003743082.tif 000002
【図２】
0003743082.tif 000003
【図３】
0003743082.tif 000004
【図４】
0003743082.tif 000005
【図５】
0003743082.tif 000006
【図６】
0003743082.tif 000007
【図７】
0003743082.tif 000008
【図８】
0003743082.tif 000009
【図９】
0003743082.tif 000010
【図１０】
0003743082.tif 000011
【図１１】
0003743082.tif 000012
【図１２】
0003743082.tif 000013
【図１３】
0003743082.tif 000014
【図１４】
0003743082.tif 000015
【図１５】
0003743082.tif 000016
【図１６】
0003743082.tif 000017
【図１７】
0003743082.tif 000018